【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）が基地局に送信されるべきデータをバッファ中に有していることを前記ＵＥにおいて識別することと、
前記データのための論理チャネル、または前記データに関連付けられたデータタイプ、あるいはそれらの組み合わせに少なくとも部分的に基づいて、前記基地局に送信されるべき前記バッファ中の前記データについての優先度レベルを決定することと、
前記優先度レベルがしきい値を上回ることを決定することと、
前記データについての前記優先度レベルを示すスケジューリング要求（ＳＲ）を前記基地局に送信すること、ここにおいて、前記ＳＲを送信することは、前記優先度レベルがしきい値を上回るという前記決定に少なくとも部分的に基づく、と
を備える、方法。
【請求項２】
前記ＳＲは、前記ＳＲのビットフィールドを使用する前記決定された優先度レベルのインジケーションを含む、
請求項１に記載の方法。
【請求項３】
前記ＳＲの前記ビットフィールドは、前記決定された優先度レベルを示すための複数のビットを備える、
請求項２に記載の方法。
【請求項４】
前記ＳＲを送信するために使用されるべき無線リソースの複数のセットのうちの無線リソースの第１のセットを、前記決定された優先度レベルに少なくとも部分的に基づいて選択すること、ここにおいて、前記ＳＲを送信することは、無線リソースの前記識別された第１のセットを使用して前記ＳＲを送信することを備える、
をさらに備える、請求項１に記載の方法。
【請求項５】
アップリンクメッセージ中での前記データの送信のためのアップリンク許可を前記基地局から受信することと、
前記アップリンク許可に少なくとも部分的に基づいて、前記アップリンクメッセージのためのアップリンクリソースを識別することと、
前記データを備える前記アップリンクメッセージを、前記識別されたアップリンクリソースを使用して送信することと
をさらに備える、請求項１に記載の方法。
【請求項６】
前記アップリンク許可は、前記データの送信のための前記論理チャネルに対応するリソースを示す、
請求項５に記載の方法。
【請求項７】
前記ＳＲは、前記識別されたアップリンクリソースとは異なるリソースのセット上で送信される、
請求項５に記載の方法。
【請求項８】
前記決定された優先度レベルに少なくとも部分的に基づいて、前記ＳＲの送信のためのＳＲ構成を選択すること
をさらに備える、請求項１に記載の方法。
【請求項９】
前記データのための前記論理チャネルと前記決定された優先度レベルとのうちの１つまたは両方は、ヌメロロジに対応し、ここにおいて、前記ヌメロロジは、周波数ドメイン中の前記論理チャネルのサブキャリア間隔、あるいは時間ドメイン中の送信時間間隔持続時間またはシンボルに関連する、
請求項１に記載の方法。
【請求項１０】
前記ＵＥが前記基地局に送信されるべき追加のデータを有するという識別に少なくとも部分的に基づいて、第２のＳＲを前記基地局に送信すること、ここにおいて、前記ＳＲは、前記第２のＳＲに対応する第２の時間期間より短い第１の時間期間に対応する、
をさらに備える、請求項１に記載の方法。
【請求項１１】
前記ＵＥが前記基地局に送信されるべき追加のデータを有していることを前記ＵＥによって識別することと、
前記追加のデータのための論理チャネル、または前記追加のデータに関連付けられたデータタイプ、あるいはそれらの組み合わせに少なくとも部分的に基づいて、前記追加のデータについての第２の優先度レベルを決定することと、ここにおいて、前記ＳＲを送信することは、前記優先度レベルが前記第２の優先度レベルより大きいことに少なくとも部分的に基づく、
をさらに備える、請求項１に記載の方法。
【請求項１２】
前記ＳＲは、前記基地局に送信されるべき前記データについてのバッファ状態のインジケーションを含む、
請求項１に記載の方法。
【請求項１３】
前記ＳＲについての値と複数の論理チャネルについての優先度レベルとの間の対応を示すマッピングを前記基地局から受信すること
をさらに備える、請求項１に記載の方法。
【請求項１４】
ワイヤレス通信のための方法であって、
ユーザ機器（ＵＥ）が基地局に送信するためのデータをバッファ中に有していることと、前記データについての優先度レベルとを示すスケジューリング要求（ＳＲ）を前記基地局によって受信すること、ここにおいて、前記ＳＲを受信することは、前記優先度レベルがしきい値を上回ると識別されることに少なくとも部分的に基づく、と、
前記ＳＲに少なくとも部分的に基づいて、前記データの前記優先度レベルを決定することと、
前記優先度レベルに少なくとも部分的に基づいて、前記データの送信のためのリソースを識別することと、
前記識別されたリソースを示すアップリンク許可を前記ＵＥに送信することと
を備える、方法。
【請求項１５】
ワイヤレス通信のための装置であって、
請求項１乃至１３または請求項１４のいずれか１項の方法のすべてのステップを実行するための手段
を備える、装置。
【手続補正２】
【補正対象書類名】明細書
【補正対象項目名】０１８１
【補正方法】変更
【補正の内容】
【０１８１】
[0189]ここでの説明は、当業者が本開示を製造または使用することを可能にするために提供される。本開示に対する様々な修正は、当業者にとって容易に明らかとなり、ここに定義された包括的な原理は、本開示の範囲から逸脱することなしに他の変形に適用され得る。このことから、本開示は、ここに説明された例および設計に限定されず、ここに開示された原理および新規の特徴と一致する最も広い範囲が付与されるべきである。
以下に本願の出願当初の特許請求の範囲に記載された発明を付記する。
［書類名］特許請求の範囲
［Ｃ１］
ワイヤレス通信のための方法であって、
ユーザ機器（ＵＥ）が基地局に送信されるべきデータをバッファ中に有していることを前記ＵＥにおいて識別することと、
前記データのための論理チャネル、または前記データに関連付けられたデータタイプ、あるいはそれらの組み合わせに少なくとも部分的に基づいて、前記基地局に送信されるべき前記バッファ中の前記データについての優先度レベルを決定することと、
前記データについての前記優先度レベルを示すスケジューリング要求（ＳＲ）を前記基地局に送信することと
を備える、方法。
［Ｃ２］
前記ＳＲは、前記ＳＲのビットフィールドを使用する前記決定された優先度レベルのインジケーションを含む、
Ｃ１に記載の方法。
［Ｃ３］
前記ＳＲの前記ビットフィールドは、前記決定された優先度レベルを示すための複数のビットを備える、
Ｃ２に記載の方法。
［Ｃ４］
前記ＳＲを送信するために使用されるべき無線リソースの複数のセットのうちの無線リソースの第１のセットを、前記決定された優先度レベルに少なくとも部分的に基づいて選択すること、ここにおいて、前記ＳＲを送信することは、無線リソースの前記識別された第１のセットを使用して前記ＳＲを送信することを備える、
をさらに備える、Ｃ１に記載の方法。
［Ｃ５］
アップリンクメッセージ中での前記データの送信のためのアップリンク許可を前記基地局から受信することと、
前記アップリンク許可に少なくとも部分的に基づいて、前記アップリンクメッセージのためのアップリンクリソースを識別することと、
前記データを備える前記アップリンクメッセージを、前記識別されたアップリンクリソースを使用して送信することと
をさらに備える、Ｃ１に記載の方法。
［Ｃ６］
前記アップリンク許可は、前記データの送信のための前記論理チャネルに対応するリソースを示す、
Ｃ５に記載の方法。
［Ｃ７］
前記ＳＲは、前記識別されたアップリンクリソースとは異なるリソースのセット上で送信される、
Ｃ５に記載の方法。
［Ｃ８］
前記決定された優先度レベルに少なくとも部分的に基づいて、前記ＳＲの送信のためのＳＲ構成を選択すること
をさらに備える、Ｃ１に記載の方法。
［Ｃ９］
前記決定された優先度レベルがしきい値を上回ることを識別すること、ここにおいて、前記ＳＲは、前記決定された優先度レベルが前記しきい値を上回るという前記識別に少なくとも部分的に基づいて送信される、
をさらに備える、Ｃ１に記載の方法。
［Ｃ１０］
前記データのための前記論理チャネルと前記決定された優先度レベルとのうちの１つまたは両方は、ヌメロロジに対応する、
Ｃ１に記載の方法。
［Ｃ１１］
前記ＵＥが前記基地局に送信されるべき追加のデータを有するという識別に少なくとも部分的に基づいて、第２のＳＲを前記基地局に送信すること、ここにおいて、前記ＳＲは、前記第２のＳＲに対応する第２の時間期間より短い第１の時間期間に対応する、
をさらに備える、Ｃ１に記載の方法。
［Ｃ１２］
前記ＵＥが前記基地局に送信されるべき追加のデータを有していることを前記ＵＥによって識別することと、
前記追加のデータのための論理チャネル、または前記追加のデータに関連付けられたデータタイプ、あるいはそれらの組み合わせに少なくとも部分的に基づいて、前記追加のデータについての第２の優先度レベルを決定することと、ここにおいて、前記ＳＲを送信することは、前記優先度レベルが前記第２の優先度レベルより大きいことに少なくとも部分的に基づく、
をさらに備える、Ｃ１に記載の方法。
［Ｃ１３］
前記ＳＲは、前記基地局に送信されるべき前記データについてのバッファ状態のインジケーションを含む、
Ｃ１に記載の方法。
［Ｃ１４］
前記ＳＲについての値と複数の論理チャネルについての優先度レベルとの間の対応を示すマッピングを前記基地局から受信すること
をさらに備える、Ｃ１に記載の方法。
［Ｃ１５］
前記基地局に送信されるべき前記データについてのターゲットヌメロロジを識別すること、ここにおいて、前記ＳＲは、前記ターゲットヌメロロジを示す、
をさらに備える、Ｃ１に記載の方法。
［Ｃ１６］
前記ターゲットヌメロロジに少なくとも部分的に基づいて、前記ＳＲの送信のためのＳＲ構成を選択すること
をさらに備える、Ｃ１５に記載の方法。
［Ｃ１７］
前記ＳＲは、リソースの専用セットを通して送信される、
Ｃ１に記載の方法。
［Ｃ１８］
ワイヤレス通信のための方法であって、
ユーザ機器（ＵＥ）が基地局に送信するためのデータをバッファ中に有していることと、前記データについての優先度レベルとを示すスケジューリング要求（ＳＲ）を前記基地局によって受信することと、
前記ＳＲに少なくとも部分的に基づいて、前記データの前記優先度レベルを決定することと、
前記優先度レベルに少なくとも部分的に基づいて、前記データの送信のためのリソースを識別することと、
前記識別されたリソースを示すアップリンク許可を前記ＵＥに送信することと
を備える、方法。
［Ｃ１９］
前記ＳＲは、前記ＳＲのビットフィールドを使用する前記決定された優先度レベルのインジケーションを含む、
Ｃ１８に記載の方法。
［Ｃ２０］
前記ＳＲの前記ビットフィールドは、前記決定された優先度レベルを示すための複数のビットを備える、
Ｃ１９に記載の方法。
［Ｃ２１］
前記ＳＲを受信するために使用される無線リソースの複数のセットのうちの無線リソースの第１のセットを識別すること、ここにおいて、前記優先度レベルを決定することは、無線リソースの前記識別された第１のセットに少なくとも部分的に基づく、
をさらに備える、Ｃ１８に記載の方法。
［Ｃ２２］
前記アップリンク許可に少なくとも部分的に基づいて、前記データを備えるアップリンクメッセージを、前記ＵＥから、および前記データの送信のための前記識別されたリソースを通して受信すること
をさらに備える、Ｃ１８に記載の方法。
［Ｃ２３］
前記ＳＲは、前記アップリンクメッセージとは異なる無線リソースのセット上で受信される、
Ｃ２２に記載の方法。
［Ｃ２４］
前記アップリンク許可は、前記データの送信のために使用されるべき論理チャネルに対応するリソースを示す、
Ｃ１８に記載の方法。
［Ｃ２５］
前記優先度レベルは、前記ＳＲによって示されるヌメロロジに少なくとも部分的に基づいて決定される、
Ｃ１８に記載の方法。
［Ｃ２６］
前記ＳＲは、前記ヌメロロジにしたがって受信され、
前記識別されたリソースは、前記ヌメロロジに少なくとも部分的に基づいて識別される、
Ｃ２５に記載の方法。
［Ｃ２７］
前記ＳＲについての値と複数の論理チャネルについての優先度レベルとの間の対応を示すマッピングを前記ＵＥに送信すること
をさらに備える、Ｃ１８に記載の方法。
［Ｃ２８］
前記ＳＲは、前記基地局に送信されるべき前記データについてのバッファ状態のインジケーションをさらに含む、
Ｃ１８に記載の方法。
［Ｃ２９］
ワイヤレス通信のための装置であって、
ユーザ機器（ＵＥ）が基地局に送信されるべきデータをバッファ中に有していることを前記ＵＥにおいて識別するための手段と、
前記データのための論理チャネル、または前記データに関連付けられたデータタイプ、あるいはそれらの組み合わせに少なくとも部分的に基づいて、前記基地局に送信されるべき前記バッファ中の前記データについての優先度レベルを決定するための手段と、
前記データについての前記優先度レベルを示すスケジューリング要求（ＳＲ）を前記基地局に送信するための手段と
を備える、装置。
［Ｃ３０］
ワイヤレス通信のための装置であって、
ユーザ機器（ＵＥ）が基地局に送信するためのデータをバッファ中に有していることと、前記データについての優先度レベルとを示すスケジューリング要求（ＳＲ）を前記基地局によって受信するための手段と、
前記ＳＲに少なくとも部分的に基づいて、前記データの前記優先度レベルを決定するための手段と、
前記優先度レベルに少なくとも部分的に基づいて、前記データの送信のためのリソースを識別するための手段と、
前記識別されたリソースを示すアップリンク許可を前記ＵＥに送信するための手段と
を備える、装置。